(57)【要約】【課題】壁面及び各種板材に幅広く使用することができる上、ドリルにより壁面に下穴を開けた後、直接、電動ドライバによりねじ込んで取り付けることができるボルトアンカーを提供する。【解決手段】ボルトアンカーは、第１のねじ１０及び第２のねじ２０を備える。第１のねじ１０は、ねじ頭部１１と、ねじ頭部１１下に形成され、雄ねじ２２１に接続されるねじ１２とを有する。第１のねじ１０は、頂端から軸方向で下方へ延びた雌ねじ穴１３を有する。ねじ１２の終端には複数個の切欠き溝１４が形成される。ねじ１２の終端には複数個の拡張支持部１２２が設けられる。第２のねじ２０は、ねじ頭部２１と、ねじ頭部２１下に形成された雄ねじ２２１のねじ芯２２とを有する。ねじ芯２２は衝突棒２２２を有する。第２のねじ２０のねじ芯２２は、第１のねじ１０の頂端に形成された雌ねじ穴１３に、拡張支持部１２２を押し広げる位置まで奥深く螺入される。【選択図】図７
0003210797.tif 000002
【実用新案登録請求の範囲】
【請求項１】
第１のねじ及び第２のねじを備えたボルトアンカーであって、
前記第１のねじは、ねじ頭部と、前記ねじ頭部下に形成され、且つ雄ねじに接続されるねじと、を有し、前記第１のねじは、頂端から軸方向で下方へ延びた雌ねじ穴を有し、前記ねじの終端には、複数個の切欠き溝が形成され、前記ねじの終端には、複数個の拡張支持部が設けられ、
前記第２のねじは、ねじ頭部と、前記ねじ頭部下に形成された雄ねじのねじ芯と、を有し、前記ねじ芯は、衝突棒を有し、
前記第２のねじの前記ねじ芯は、前記第１のねじの頂端に形成された前記雌ねじ穴に、拡張支持部を押し広げる位置まで奥深く螺入されることを特徴とするボルトアンカー。
【請求項２】
前記第１のねじ上に形成された前記雌ねじ穴は、前記切欠き溝と連通することを特徴とする請求項１に記載のボルトアンカー。
【請求項３】
前記第１のねじの前記雌ねじ穴は、雌ねじセクション及び非雌ねじセクションを有することを特徴とする請求項１に記載のボルトアンカー。
【請求項４】
前記衝突棒の末端は弾頭状であることを特徴とする請求項１に記載のボルトアンカー。
【請求項５】
前記第２のねじが前記第１のねじに螺合されると、前記第２のねじの前記ねじ頭部が前記第１のねじの前記ねじ頭部上に積層されることを特徴とする請求項１に記載のボルトアンカー。
【考案の詳細な説明】
【技術分野】
【０００１】
本考案は、ボルトアンカーに関し、特に、壁面及び各種板材に幅広く使用することができる上、親子ねじにより構成され、ドリルにより壁面に下穴を開けた後、叩打せずに直接、電動ドライバによりねじ込んで取り付けることができるボルトアンカーに関する。
【背景技術】
【０００２】
従来のボルトアンカーは、拡張管と、拡張管に挿入するねじと、ねじに螺着するナットと、を含む。ねじの端縁には、拡大端部が形成され、ドリルにより壁面に開けておいた下穴に挿設した後、ナットを回転させてねじを外方へ移動させ、ねじの拡大端部が拡張管の底端を押し広げて下穴内に当接されると、ボルトアンカーが下穴に固定される。
【０００３】
しかし、上述したような従来のボルトアンカーは、電気ドリルなどの工具を利用し、使用前に螺着位置に下穴を開け、下穴の穴径が大きすぎたり小さすぎたりしないように、ボルトアンカーの外形寸法及び長さに合致させなければならないため、手間と時間がかかった。
【０００４】
また、ドリルビットが磨耗して短くなったり細くなったりするため、実際の作業では、下穴の穴径が小さすぎてボルトアンカーが挿入できなくなったり、下穴に引っかかったりすることを防ぐために、ドリルビットを頻繁に新しい物と交換しなければならない虞があった。
【０００５】
ボルトアンカーを下穴に挿入する際、ハンマー又は硬い物でボルトアンカーを叩打するが、角度が制限されているため、叩打が容易でなく、施工の品質が不安定となったり完全でなくなったりする虞があった。
【考案の概要】
【考案が解決しようとする課題】
【０００６】
本考案の主な目的は、壁面及び各種板材に幅広く使用することができる上、ドリルにより壁面に下穴を開けた後、直接、電動ドライバによりねじ込んで取り付けることができるボルトアンカーを提供することにある。
【課題を解決するための手段】
【０００７】
上記課題を解決するために、本考案の第１の形態によれば、第１のねじ及び第２のねじを備えたボルトアンカーであって、前記第１のねじは、ねじ頭部と、前記ねじ頭部下に形成され、且つ雄ねじに接続されるねじと、を有し、前記第１のねじは、頂端から軸方向で下方へ延びた雌ねじ穴を有し、前記ねじの終端には、複数個の切欠き溝が形成され、前記ねじの終端には、複数個の拡張支持部が設けられ、前記第２のねじは、ねじ頭部と、前記ねじ頭部下に形成された雄ねじのねじ芯と、を有し、前記ねじ芯は、衝突棒を有し、前記第２のねじの前記ねじ芯は、前記第１のねじの頂端に形成された前記雌ねじ穴に、拡張支持部を押し広げる位置まで奥深く螺入されることを特徴とするボルトアンカーが提供される。
【０００８】
前記第１のねじ上に形成された前記雌ねじ穴は、前記切欠き溝と連通することが好ましい。
【０００９】
前記第１のねじの前記雌ねじ穴は、雌ねじセクション及び非雌ねじセクションを有することが好ましい。
【００１０】
前記衝突棒の末端は弾頭状であることが好ましい。
【００１１】
前記第２のねじが前記第１のねじに螺合されると、前記第２のねじの前記ねじ頭部が前記第１のねじの前記ねじ頭部上に積層されることが好ましい。
【考案の効果】
【００１２】
本考案のボルトアンカーは、親子ねじにより構成され、ドリルにより壁面に下穴を開けた後、叩打せずに直接、電動ドライバによりねじ込んで取り付けることができるため、施工時間が短くて作業が容易である上、簡素な構造を有する。
【図面の簡単な説明】
【００１３】
【図１】図１は、本考案の一実施形態に係るボルトアンカーを示す斜視図である。
【図２】図２は、本考案の一実施形態に係るボルトアンカーを示す正面図である。
【図３】図３は、本考案の一実施形態に係るボルトアンカーを示す斜視図である。
【図４】図４は、本考案の一実施形態に係るボルトアンカーの使用状態の説明図（１）である。
【図５】図５は、本考案の一実施形態に係るボルトアンカーの使用状態の説明図（２）である。
【図６】図６は、本考案の一実施形態に係るボルトアンカーの使用状態の説明図（３）である。
【図７】図７は、本考案の一実施形態に係るボルトアンカーの使用状態の説明図（４）である。
【考案を実施するための形態】
【００１４】
以下、本考案の実施形態について図に基づいて説明する。なお、これによって本考案が限定されるものではない。
【００１５】
図１及び図２を参照する。図１及び図２に示すように、本考案の一実施形態に係るボルトアンカー１００は、少なくとも第１のねじ１０及び第２のねじ２０から構成されてなる。
【００１６】
上述した第１のねじ１０は、ねじ頭部１１と、ねじ頭部１１下に形成され、且つ雄ねじ１２１に接続されるねじ１２と、を含む。第１のねじ１０は、頂端から軸方向で下方へ延びた雌ねじ穴１３を有し、ねじ１２の終端には、複数個の切欠き溝１４が形成され、ねじ１２の終端には、複数個の拡張支持部１２２が設けられる。第１のねじ１０上に形成された雌ねじ穴１３は、切欠き溝１４と連通し、上述した第１のねじ１０の雌ねじ穴１３は、雌ねじセクション１３１及び非雌ねじセクション１３２を有する。
【００１７】
上述した第２のねじ２０は、ねじ頭部２１と、ねじ頭部２１下に形成された雄ねじ２２１に接続されるねじ芯２２と、を有する。上述した第２のねじ２０のねじ芯２２は、衝突棒２２２を有する。衝突棒２２２の末端は弾頭状である。
【００１８】
図３に示すように、第２のねじ２０のねじ芯２２は、第１のねじ１０の頂端に形成された雌ねじ穴１３に、拡張支持部１２２を押し広げる位置まで奥深く螺入される。
【００１９】
実際に使用する状態については、図４〜図７を順次参照する。図４〜図７は、本考案の一実施形態に係るボルトアンカー１００を壁部３０へ取り付けるときの状態を示す。
【００２０】
本考案の一実施形態に係るボルトアンカー１００の取付けステップは、複数のステップを含む。図４に示すように、予め開けた下穴に、第１のねじ１０を位置合わせして電動ドライバでねじ込んで壁部３０上に螺合する。
【００２１】
第１のねじ１０を壁面に位置決めした後、図５及び図６に示すように、第２のねじ２０を第１のねじ１０の頂端から雌ねじ穴１３中へ挿入した後、第２のねじ２０のねじ芯２２の雄ねじ２２１を第１のねじ１０の雌ねじ穴１３の雌ねじセクション１３１に螺着すると、第２のねじ２０が第１のねじ１０に螺合される。
【００２２】
図７を参照する。図７に示すように、電動ドライバにより第２のねじ２０を回転し、雌ねじ穴１３底部に衝突棒２２２が当接されるまで下方へねじ込み、下方へ押し込み続けると、ねじ１２終端の拡張支持部１２２が押し広げられ、拡張支持部１２２上に設けられた雄ねじ１２１が壁部３０中に強固に嵌合される。
【００２３】
第２のねじ２０が第１のねじ１０に螺合されると、第２のねじ２０のねじ頭部２１が第１のねじ１０のねじ頭部１１上に積層される。
【００２４】
壁部３０からボルトアンカー１００を取り外す場合、ボルトアンカー１００を反対方向へ回すだけで壁部３０から第１のねじ１０及び第２のねじ２０を取り出すことができるため、繰り返して使用することができる。
【００２５】
上述したことから分かるように、本考案のボルトアンカーは、親子ねじにより構成され、ドリルにより壁面に下穴を開けた後、叩打せずに直接、電動ドライバによりねじ込むだけで壁面に取り付けることができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  第１のねじ
１１  ねじ頭部
１２  ねじ
１３  雌ねじ穴
１４  切欠き溝
２０  第２のねじ
２１  ねじ頭部
２２  ねじ芯
３０  壁部
１００  ボルトアンカー
１２１  雄ねじ
１２２  拡張支持部
１３１  雌ねじセクション
１３２  非雌ねじセクション
２２１  雄ねじ
２２２  衝突棒
【図１】
0003210797.tif 000003
【図２】
0003210797.tif 000004
【図３】
0003210797.tif 000005
【図４】
0003210797.tif 000006
【図５】
0003210797.tif 000007
【図６】
0003210797.tif 000008
【図７】
0003210797.tif 000009